(57)【要約】【課題】構造簡単でありながら、水平・垂直の両方向に安全かつ簡単に取り付け・取り外しできる無線機の取り付け機構を提供する。【解決手段】メス座６とオス座１３とからなり、メス座６は、後端側に向かうに従って溝幅がテーパ状に狭まり、かつ、その溝形状が台形状になる蟻溝７を備え、オス座１３は、蟻溝と同形の回転板１５と、無線機１の下面に固着されて回転板１５を回転自在に軸支した固定板１４とからなり、固定板１４は、回転板１５のテーパ幅の狭い側の半部を軸支位置を基点として線対称に反対側に折り返して得られる左右対称な六角形状とし、該六角形状をした固定板１４の外周面１４ａを回転板１５の断面台形状の傾斜面１５ａと滑らかにつながる同じ角度の傾斜面とした。また、オス座を定位置に係止するストッパ８と、回転板を定位置に係止する回転板係止機構を設けた。【選択図】      図５
2008177921.tif 000002
【特許請求の範囲】
【請求項１】
無線機の下面に取り付けられるオス座と、無線機固定用の基台に取り付けられるメス座とからなり、
前記メス座は、後端側に向かうに従って溝幅がテーパ状に狭まり、かつ、その溝形状が台形状の蟻溝を備え、
前記オス座は、前記蟻溝の溝深さよりも板厚が薄く、後端側に向かうに従って板幅がテーパ状に狭まり、かつ、その断面形状が台形状になる、前記蟻溝と同形の回転板と、上面を無線機下面に固着されているとともに、下面に前記回転板をその中央位置で回転自在に軸支した固定板とからなり、
該固定板は、前記回転板のテーパ幅の狭い側の半部を前記軸支位置を基点として線対称に反対側に折り返して得られる左右対称な六角形状になり、該六角形状をした固定板の外周面を前記回転板の断面台形状の傾斜面と滑らかにつながる同じ角度の傾斜面としたことを特徴とする無線機の取り付け機構。
【請求項２】
前記メス座に挿入嵌合された前記オス座を定位置に係止するストッパを設けたことを特徴とする請求項１記載の無線機の取り付け機構。
【請求項３】
前記回転自在な回転板を定位置に係止する回転板係止機構を設けたことを特徴とする請求項１または２記載の無線機の取り付け機構。
【発明の詳細な説明】
【技術分野】
【０００１】
本発明は、水平・垂直配置のための無線機の取り付け機構に関するものである。
【背景技術】
【０００２】
電子機器をその向きを変えて取り付けることができる取り付け機構として、特許文献１に記載のものが知られている。この取り付け機構は、連結体に互いに非交叉で直交する２つの貫通孔を穿設し、一方の貫通孔に挿通した連結子で壁面取付金具を連結体に回転、固定自在に取り付け、他方の貫通孔に挿通した連結子で電子機器取付金具を連結体に回転、固定自在に取り付けたものである。
【０００３】
この取り付け機構は、電子機器を上下・左右の任意の方向へその向きへ変えて自在に取り付けることができるが、取り付け作業に際してはネジなどを用いて電子機器を電子機器取付金具に締着固定する必要があり、一旦壁面などに取り付けた後は電子機器を簡単に取り外すことが難しいという問題があった。そこで、本出願人は構造簡単で、しかも取り付け・取り外しが極めて簡単な無線機(ＦＰＵ：Field Pickup Unit)のための取り付け機構を開発した。
【０００４】
本出願人が開発したこの無線機の取り付け機構を図９および図１０に示す。
図９は取り付け機構の分解斜視図、図１０はオス座とメス座を嵌め合わせて水平配置した状態の無線機の正面図である。図９において、１は無線機（ＦＰＵ）であって、その下面２にはオス座３が固着されている。このオス座３は、後端側に向かうに従って溝幅がテーパ状に狭まり、かつ、その断面が台形状をしたいわゆる「蟻ほぞ」であって、この蟻ほぞ状になるオス座３がその溝幅の広い側を無線機１のフロントパネル面４側に向けて無線機１の下面２に固着されている。
【０００５】
一方、前記オス座３と対をなすメス座６には、オス座３が挿脱自在に嵌り込むためのオス座と同形の蟻溝７が形成されている。また、このメス座６の前端面側部には、蟻溝７内に嵌り込んだオス座３が抜け出ることがないように定位置に係止するためのストッパ８が設けられている。
【０００６】
上記取り付け機構は、その使用に際して、まずメス座６を三脚などの無線機固定用の基台に水平に取り付けておく。そして、三脚などに取り付けられたメス座６の蟻溝７に向けて無線機１をその後端５側から押し込んでいき、無線機１の下面２に固着したオス座３をメス座６の蟻溝７に挿入していく。
【０００７】
オス座３が蟻溝７内に挿入されて完全に嵌め合わされたらストッパ８を回し、オス座３が蟻溝７内から抜け出すことがないように定位置に係止する。これによって、無線機１は図１０に示すようにメス座６上に水平状態で固定配置される。
【０００８】
【特許文献１】実公平２−９２５号公報（全頁、全図）
【発明の開示】
【発明が解決しようとする課題】
【０００９】
本出願人が開発した上記取り付け機構は、構造が簡単で、しかも無線機の取り付け・取り外しが極めて簡単なため、特に屋外で使用することの多い可搬型の無線機に用いて非常に便利なものであった。
【００１０】
ところで、上記取り付け機構は、無線機を水平状態で取り付けることを前提として開発されたものであった。しかしながら、現場における実際の使用状況によっては、無線機を上下方向に向けて垂直に取り付ける必要が生じることがあった。特に、屋外で使用する場合、雨などに対する防滴の関係からフロントパネル面４を下側にした状態で垂直に取り付ける必要がある。また、テレビカメラなどの後端部に取り付けてワイヤレスカメラとして使用するときは、無線機を垂直にしてテレビカメラに取り付けることがある。
【００１１】
上記取り付け機構において、フロントパネル面４を下側にして垂直に取り付けるには、オス座３とメス座６の配置は図１１のようになり、無線機１を下側から上側に向けて押し上げるようにして差し込まざるを得ない。
【００１２】
図１１から解るように、無線機１を下側から上側に向けて押し込んだ場合、ストッパ８を回して定位置に係止するまでは無線機１を下側から支え続けねばならず、また、無線機１を取り外す場合には、無線機１を下から支えた状態でストッパ８を外さねばならず、取り付け・取り外し時に無線機１を落下させてしまう危険があった。
【００１３】
この問題の最も簡単な解決方法は、図１２に示すように、無線機１の下面２に固着するオス座３の向きを１８０度逆向きにし、無線機１を上側から差し込むようにすることである。このような配置にすれば、オス座３とメス座６が嵌合しさえすれば、ストッパ８に関係なく落下の心配は無くなる。しかしながら、この方法を採る場合、水平配置の時と垂直配置の時とでその都度オス座３を付け替えねばならず、作業が非常にやっかいなものとなってしまう
【００１４】
本発明は、上記問題を解決するためになされたもので、構造簡単でありながら、水平・垂直の両方向に安全かつ簡単に取り付け・取り外しできる無線機の取り付け機構を提供することを課題とするものである。
【課題を解決するための手段】
【００１５】
上記課題を解決するため、本発明は次のような構成を採用した。
すなわち、請求項１記載の発明は、無線機の下面に取り付けられるオス座と、無線機固定用の基台に取り付けられるメス座とからなり、前記メス座は、後端側に向かうに従って溝幅がテーパ状に狭まり、かつ、その溝形状が台形状になる蟻溝を備え、前記オス座は、前記蟻溝の溝深さよりも板厚が薄く、後端側に向かうに従って板幅がテーパ状に狭まり、かつ、その断面形状が台形状をした、前記蟻溝と同形の回転板と、上面を無線機の下面に固着されているとともに下面に前記回転板をその中央位置で回転自在に軸支した固定板とからなり、該固定板は、前記回転板のテーパ幅の狭い側の半部を前記軸支位置を基点として線対称に反対側に折り返して得られる左右対称な六角形状になり、該六角形状をした固定板の外周面を前記回転板の断面台形状の傾斜面と滑らかにつながる同じ角度の傾斜面としたものである。
【００１６】
また、請求項２記載の発明は、前記請求項１記載の取り付け機構において、前記メス座に挿入嵌合された前記オス座を定位置に係止するストッパを設けたことを特徴とするものである。
【００１７】
さらに、請求項３記載の発明は、前記請求項１または２記載の取り付け機構において、前記回転自在な回転板を定位置に係止する回転板係止機構を設けたことを特徴とするものである。
【発明の効果】
【００１８】
請求項１記載の発明によれば、メス座の蟻溝に挿入嵌合されるオス座を固定板と回転板の２つの部材で構成し、回転板を回してその向きを自在に変えることができるようにするとともに、重ね合わされた状態の固定板と回転板の両者によって全体で１つの断面台形状の蟻ほぞを形成し、この重ね合わされた固定板と回転板の両者が一体となってメス座の蟻溝に挿脱自在に嵌まり合うようにしたので、フロントパネル面を下に向けた状態で無線機を垂直下向きに配置する場合、回転板を回して水平配置の場合とその向きを１８０度反対の向きに設定することにより、フロントパネル面を下向きにした状態で無線機をメス座の蟻溝に上方側から差し込むことが可能となる。このため、下側から差し込む場合のように無線機が落下するおそれが無くなり、無線機の取り付け・取り外し作業を極めて安全に行なうことができる。
【００１９】
また、請求項２記載の発明によれば、メス座に挿入嵌合されたオス座を定位置に係止するストッパを設けたので、係止された後は無線機が簡単に外れるようなことが無くなり、無線機取り付けの安全性を向上することができる。
【００２０】
さらに、請求項３記載の発明によれば、回転自在な回転板を定位置に係止する回転板係止機構を設けたので、蟻溝への差し込み作業時に回転自在な回転板が勝手に回って差し込み作業がしづらくなるというようなことが無くなり、作業性の向上を図ることができる。
【発明を実施するための最良の形態】
【００２１】
以下、本発明の実施の形態について図面を参照しながら説明する。
図１〜図５に、本発明に係る無線機の取り付け機構の一実施の形態を示す。
図１は本発明の取り付け機構を備えた無線機を示す図、図２はオス座の構成部材である回転板の詳細な構造を示す図、図３は同じくオス座の構成部材である固定板の詳細な構造を示す図、図４は回転板係止機構部分の拡大断面図、図５は本発明の取り付け機構の分解斜視図である。
【００２２】
なお、オス座と対をなすメス座については、従来のメス座６（図９，図１０参照）をそのまま使用するので、その図示は省略する。また、各図において、従来の取り付け機構（図９、図１０）と同一部分には同一の符号を付して示し、それらの部分の詳細な説明は省略する。
【００２３】
本発明の取り付け機構が従来の取り付け機構（図９，図１０）と異なる点は、無線機１の下面２に取り付けられるオス座の構造である。すなわち、従来の取り付け機構におけるオス座３は、図９，図１０に示すように、１枚の板体を用いて構成したものであったが、本発明におけるオス座１３は、図１、図５に示すように、無線機１の下面２に固着される固定板１４と、この固定板１４の下面に段付きネジ１６によって回転自在に軸支された回転板１５の２つの部材によって構成し、上下に重ね合わされた固定板と回転板の２つの部材によって、メス座６の蟻溝７に嵌り込む断面台形状の蟻ほぞを形成したものである。
【００２４】
固定板１４の下面に回転自在に取り付けられた回転板１５は、図２にその詳細な構造を示すように、従来のオス座３と同形になるもので、後端側に向かうに従ってその幅がテーパ状に狭まり、かつ、その断面形状を台形状に形成されている。この回転板１５は、その板厚が従来のオス座３のほぼ半分の厚さに設定されており、後述する固定板１４と合わせた全体の板厚が従来のオス座３と同じ厚さとなるように設定されている。これは、回転板１５と固定板１４の両者によって断面台形状の蟻ほぞを形成し、回転板１５と固定板１４の両方を一緒にメス座６の蟻溝７に差し込んで嵌合固定させるためである。
【００２５】
回転板１５の中央位置には段付き穴１７が形成されている。回転板１５は、この段付き穴１７に段付きネジ１６を挿通して固定板１４下面のネジ穴１８に螺着（図４参照）することにより、固定板１４の下面に回転自在に軸支されている。
【００２６】
また、回転板１５の上面には、前記段付き穴１７を中に挟んで左右の対称位置に一対の硬球嵌入溝１９ａ，１９ｂが形成されている。この一対の硬球嵌入溝１９ａ，１９ｂは、後述するように、固定板１４下面のバネ収納穴２０内に圧縮バネ２１ともに収容されている係止用硬球２２が圧縮バネ２１によって押されて嵌り込むことにより、回転自在な回転板１５を１８０度回転した定位置に係止させるためのものである（図４参照）。なお、この硬球嵌入溝１９ａ、１９ｂの溝深さは、回転板１５の回転操作時に係止用硬球２２が容易に溝内から抜け出ることが可能な深さとされている。
【００２７】
一方、無線機１の下面２に固着された固定板１４は、図３にその詳細な構造を示すように、中央部に形成されたネジ穴１８を中心にして左右対称な６角形状とされている。すなわち、固定板１４の平面視形状は、前記回転板１５のテーパ幅の狭い側の半部（図２（ｃ）の右半部）を軸支位置たる段付き穴１７を中心として線対称に反対側に折り返して得られる左右対称な六角形状になり、この六角形状をした固定板１４の外周面１４ａを前記回転板１５の断面台形状の傾斜面１５ａと滑らかにつながる同じ角度の傾斜面としたもので、回転板１５を重ね合わせた状態において、回転板１５と固定板１４の傾斜面によって全体で１つの断面台形状の蟻ほぞが形成されるように構成されている。
【００２８】
この固定板１４は、図１に示すように、その上面部を接着剤あるいは溶接等の適宜方法によって無線機１の下面２に固着され、無線機１と一体化される。なお、固定板１４の板厚は、従来のオス座３（図９，図１０）の板厚から前記回転板１５の板厚を引いた厚さとされ、固定板１４と回転板１５を合わせた全体の板厚が従来のオス座３の板厚と同じになるように設定されている。
【００２９】
また、固定板１４の下面中央位置にはネジ穴１８が形成されており、前述したように、回転板１５の段付き穴１７に段付きネジ１６を挿通してこのネジ穴１８に螺着（図４参照）することにより、回転板１５が固定板１４の下面に回転自在に取り付けられている。
【００３０】
さらに、固定板１４の下面には、前記回転板１５に形成された硬球嵌入溝１９ａ（または１９ｂ）と相対する位置にバネ収納穴２０が形成されており、このバネ収納穴２０内に圧縮バネ２１と係止用硬球２２が収納（図４参照）されている。係止用硬球２２は圧縮バネ２１によって外方へ向けて付勢されており、該付勢力によって回転板１５の上面に形成されている硬球嵌入溝１９ａまたは１９ｂと相対した時に該溝内に嵌り込み、回転自在な回転板１５を定位置に係止できるようになっている。なお、これら硬球嵌入溝１９ａ，１９ｂ、バネ収容穴２０、圧縮バネ２１、係止用硬球２２がいわゆる回転板係止機構を構成している。
【００３１】
次に、上記取り付け機構を用いた無線機の取り付け方法について説明する。
まず最初に、無線機１を水平状態に取り付ける場合について、図５，図６を参照して説明する。
【００３２】
無線機１を水平状態に取り付ける場合には、図５に示すように、回転板１５を回してそのテーパ幅の広い側が無線機１のフロント面４側に向くように位置させる。回転板１５をこのような向きに配置にすると、回転板係止機構を構成する係止用硬球２２が図４に例示するように硬球嵌入溝１９ａ内に嵌り込み、回転板１５を図５の位置に係止する。なお、この水平配置の場合における回転板１５の向きは、従来の取り付け機構（図９，図１０参照）における水平配置の場合と同じである。
【００３３】
上記のように回転板１５の向きを設定した後、無線機１をその後端５側から水平配置されたメス座６の蟻溝７に向けて押し込んでいく。これによって、断面台形状になる回転板１５と固定板１４の先端部がメス座６の蟻溝７に挿入されていく。そして、固定板１４と回転板１５が蟻溝７内に完全に嵌め合わされたらストッパ８を回し、無線機１を該位置に係止する。
【００３４】
これによって、無線機１は、その下面２に設けた固定板１４と回転板１５の両者がメス座６の蟻溝７に嵌め合わされた状態で固定される。この結果、無線機１は図６に示すようにメス座６上に水平状態で固定配置される。
【００３５】
次に、無線機１をそのフロントパネル面４を下側にして垂直下向きに取り付ける場合について、図７，図８を参照して説明する。
【００３６】
無線機１をそのフロントパネル面４を下側にして垂直下向きに取り付ける場合には、回転板１５を水平配置の場合の設定状態から１８０度回転させ、図７に示すように、テーパ幅の広い側が無線機１の後端５側に向くように位置させる。回転板１５をこのような向きに配置にすると、回転板係止機構を構成する係止用硬球２２が反対側の硬球嵌入溝１９ｂ内に嵌り込み、回転板１５を図７のような位置に係止する。図示から明らかなように、垂直配置の場合の回転板１５の向きは、水平配置（図５）の場合と１８０度逆向きとなる。
【００３７】
上記のように回転板１５の向きを設定した後、図８に示すように、無線機１を垂直配置されたメス座６の蟻溝７に向けてフロントパネル面４側から下向きに押し込んでいく。これによって、断面台形状になる回転板１５と固定板１４の先端部がメス座６の蟻溝７に挿入されていく。固定板１４と回転板１５が蟻溝７内に完全に嵌め合わされたらストッパ８を回し、無線機１を該位置に係止する。この結果、無線機１は、フロントパネル面４を下にしてメス座６に垂直下向きの状態で固定配置される。
【００３８】
上記説明から明らかなように、本発明の取り付け機構によれば、無線機１をフロントパネル面４を下側にして垂直下向きに取り付ける場合、従来と異なって無線機１を上側から下向きに差し込むだけで済み、従来のようにストッパ８で係止するまで無線機１を下側から支え続ける必要がない。また、取り外しに際してストッパ８を外しても無線機１が落下するようなことがない。このため、取り付け・取り外し時に無線機１が落下するおそれがなくなり、作業の安全性が格段に向上する。また、水平配置と垂直配置との切り換えに際しては、回転板１５を１８０度回すだけで済み、作業が極めて簡単である。
【００３９】
なお、上記説明では、ストッパ８として回動式のものを用いた場合の例を示したが、これに限られるものではなく、横にスライドさせる形式のものでも同様な効果が得られる。要は、メス座に挿入嵌合されたオス座を定位置に係止可能な構造のものであればよい。
【図面の簡単な説明】
【００４０】
【図１】本発明に係る無線機の取り付け機構の一実施の形態を示すもので、（ａ）は側面図、（ｂ）は背面図、（ｃ）は底面図、（ｄ）は正面図、（ｅ）は一部断面で示した側面図である。
【図２】図１中の回転板の詳細な構造を示すもので、（ａ）は平面図、（ｂ）は左側面図、（ｃ）は正面図、（ｄ）は右側面図、（ｅ）は背面図、（ｆ）は（ｃ）中のＩ−Ｉ線断面図である。
【図３】図１中の固定板の詳細な構造を示すもので、（ａ）は平面図、（ｂ）は左側面図、（ｃ）は正面図、（ｄ）は右側面図、（ｅ）は背面図、（ｆ）は（ｃ）中のII−II線断面図である。
【図４】図１中の回転板係止機構部分の拡大断面図である。
【図５】本発明の取り付け機構の分解斜視図である。
【図６】本発明の取り付け機構によって水平配置された無線機を示す図である。
【図７】本発明の取り付け機構によって無線機を垂直配置する場合の回転板の設定状態を示す図である。
【図８】本発明の取り付け機構によって無線機を垂直配置する場合のオス座とメス座の配置を示す図である。
【図９】従来における無線機の取り付け機構の分解斜視図である。
【図１０】従来の取り付け機構を用いて水平配置した状態の無線機の正面図である。
【図１１】従来の取り付け機構を用いて垂直配置する場合のオス座とメス座の配置を示す図である。
【図１２】従来の取り付け機構においてオス座の向きを１８０度反転して固着し、垂直配置する場合の例を示す図である。
【符号の説明】
【００４１】
１    無線機
２    無線機の下面
４    無線機のフロンパネル面
５    無線機の後端面
６    メス座
７    蟻溝
８    ストッパ
１３  オス座
１４    六角状固定板
１４ａ  固定板の台形状断面の傾斜面（外周面）
１５    回転板
１５ａ  回転板の台形状断面の傾斜面
１６    段付きネジ
１７    段付き穴
１８    ネジ穴
１９ａ，１９ｂ  硬球嵌入溝
２０    バネ収納穴
２１    圧縮バネ
２２    係止用硬球
【図１】
2008177921.tif 000003
【図２】
2008177921.tif 000004
【図３】
2008177921.tif 000005
【図４】
2008177921.tif 000006
【図５】
2008177921.tif 000007
【図６】
2008177921.tif 000008
【図７】
2008177921.tif 000009
【図８】
2008177921.tif 000010
【図９】
2008177921.tif 000011
【図１０】
2008177921.tif 000012
【図１１】
2008177921.tif 000013
【図１２】
2008177921.tif 000014